(57)【要約】【課題】アクセスポイント無しにピアツーピアデバイスを探索する方法及び装置、並びにデバイス通信方法を提供する。【解決手段】本発明の無線通信ネットワークにおけるピーツーピー（ｐｅｅｒ  ｔｏ  ｐｅｅｒ）通信が可能なピーツーピーデバイスの探索方法は、第１ピーツーピーデバイスが第２ピーツーピーデバイスからプローブ要請フレームを受信するステップと、受信したプローブ要請フレームに電話番号及びユーザ識別情報のうちの少なくとも１つを要請するメッセージが含まれるか否かを判断するステップと、受信したプローブ要請フレームにメッセージが含まれる場合、電話番号及びユーザ識別情報のうちの少なくとも１つを含むプローブ応答フレームを第２ピーツーピーデバイスに転送するステップと、を有する。【選択図】図８
2013176045.tif 000002
【特許請求の範囲】
【請求項１】
無線通信ネットワークにおけるピーツーピー（ｐｅｅｒ  ｔｏ  ｐｅｅｒ）通信が可能なピーツーピーデバイスの探索方法であって、
第１ピーツーピーデバイスが第２ピーツーピーデバイスからプローブ要請フレームを受信するステップと、
前記受信したプローブ要請フレームに電話番号及びユーザ識別情報のうちの少なくとも１つを要請するメッセージが含まれるか否かを判断するステップと、
前記受信したプローブ要請フレームに前記メッセージが含まれる場合、前記電話番号及び前記ユーザ識別情報のうちの少なくとも１つを含むプローブ応答フレームを前記第２ピーツーピーデバイスに転送するステップと、を有することを特徴とするピーツーピーデバイスの探索方法。
【請求項２】
前記プローブ応答フレームを前記他のピーツーピーデバイスに転送するステップは、
格納されたイメージのうちから転送するイメージを選択し、該選択されたイメージを転送することを特徴とする請求項１に記載のピーツーピーデバイスの探索方法。
【請求項３】
前記プローブ応答フレームを前記他のピーツーピーデバイスに転送するステップは、
前記選択されたイメージのサイズが予め設定された第１しきい値を超過するか否かを判断するステップと、
前記選択されたイメージのサイズが前記第１しきい値を超過しない場合、前記選択されたイメージを転送するステップと、を含むことを特徴とする請求項２に記載のピーツーピーデバイスの探索方法。
【請求項４】
前記プローブ応答フレームを前記他のピーツーピーデバイスに転送するステップは、
前記選択されたイメージのサイズが前記第１しきい値を超過する場合、前記イメージのフォーマットを変更するステップと、
前記フォーマット変更されたイメージのサイズが第２しきい値を超過しない場合、前記フォーマット変更されたイメージを転送するステップと、を更に含むことを特徴とする請求項３に記載のピーツーピーデバイスの探索方法。
【請求項５】
前記プローブ応答フレームを前記他のピーツーピーデバイスに転送するステップは、
前記フォーマット変更されたイメージのサイズが前記第２しきい値を超過する場合、格納されたイメージヘッダ情報に基づいて前記選択されたか又は前記フォーマット変更されたイメージを定形化するステップと、
前記定形化されたイメージからヘッダを除外したペイロードを転送するステップと、を更に含むことを特徴とする請求項４に記載のピーツーピーデバイスの探索方法。
【請求項６】
前記イメージヘッダ情報は、フォーマット情報、イメージサイズ情報、及びイメージ背景情報のうちの少なくとも１つを含むことを特徴とする請求項５に記載のピーツーピーデバイスの探索方法。
【請求項７】
前記プローブ応答フレームを前記他のピーツーピーデバイスに転送するステップは、
格納されたイメージヘッダ情報に基づいて前記選択されたイメージを定形化するステップと、
前記定形化されたイメージからヘッダを除外したペイロードを転送するステップと、を更に含むことを特徴とする請求項２に記載のピーツーピーデバイスの探索方法。
【請求項８】
前記第１ピーツーピーデバイスが電話帳を表示する中にピーツーピー連結の要請を検出した場合、前記メッセージを含むプローブ要請フレームを転送するステップを更に含むことを特徴とする請求項１に記載のピーツーピーデバイスの探索方法。
【請求項９】
電話番号を含むプローブ応答フレームを受信するステップと、
前記電話帳で前記受信した電話番号に関連する連絡先情報を表示するステップと、を更に含むことを特徴とする請求項８に記載のピーツーピーデバイスの探索方法。
【請求項１０】
電話番号を含むプローブ応答フレームを受信するステップと、
前記受信した電話番号が前記ピーツーピー連結の要請に関連する場合、前記電話番号を含むプローブ応答フレームを転送した前記第２ピーツーピーデバイスとの連結を遂行するステップとを更に含むことを特徴とする請求項８に記載のピーツーピーデバイスの探索方法。
【請求項１１】
イメージのペイロードを含むプローブ応答フレームを受信するステップと、
格納されたイメージヘッダ情報に基づいて前記受信したペイロードからイメージを復元して表示するステップと、を更に含むことを特徴とする請求項１に記載のピーツーピーデバイスの探索方法。
【請求項１２】
無線通信ネットワークにおけるピーツーピー（ｐｅｅｒ  ｔｏ  ｐｅｅｒ）通信が可能なピーツーピーデバイスの探索方法であって、
第１ピーツーピーデバイスが電話番号を要請するメッセージを含むプローブ要請フレームを転送するステップと、
前記メッセージを受信した第２ピーツーピーデバイスから前記電話番号を含むプローブ応答フレームを受信するステップと、
電話帳で前記受信した電話番号に関連する連絡先情報を表示するステップと、
前記表示された連絡先情報が選択された場合、前記電話番号を含むプローブ応答フレームを転送した前記第２ピーツーピーデバイスとの連結を遂行するステップと、を有することを特徴とするピーツーピーデバイスの探索方法。
【請求項１３】
前記受信したプローブ応答フレームにイメージのペイロードが更に含まれ、
前記電話帳で前記受信した電話番号に関連する連絡先情報を表示するステップは、
格納されたイメージヘッダ情報に基づいて前記受信したペイロードからイメージを復元して表示するステップを含むことを特徴とする請求項１２に記載のピーツーピーデバイスの探索方法。
【請求項１４】
無線通信ネットワークにおけるピーツーピー（ｐｅｅｒ  ｔｏ  ｐｅｅｒ）通信が可能なピーツーピーデバイスの探索装置であって、
前記ピーツーピー通信でアクセスポイントの役割を遂行するか又はステーションの役割を遂行し、他のピーツーピーデバイスからプローブ要請フレームを受信するワイファイモジュールと、
前記受信したプローブ要請フレームに電話番号及びユーザ識別情報のうちの少なくとも１つを要請するメッセージが含まれる場合、前記電話番号及び前記ユーザ識別情報のうちの少なくとも１つを含むプローブ応答フレームを前記他のピーツーピーデバイスに転送するように前記ワイファイモジュールを制御する制御部と、を備えることを特徴とするピーツーピーデバイスの探索装置。
【請求項１５】
前記制御部は、
格納されたイメージのうちから転送するイメージを選択し、該選択されたイメージのサイズが予め設定された第１しきい値を超過しない場合、該選択されたイメージを前記プローブ応答フレームに含めて転送するように前記ワイファイモジュールを制御することを特徴とする請求項１４に記載のピーツーピーデバイスの探索装置。
【請求項１６】
前記制御部は、
前記選択されたイメージのサイズが前記第１しきい値を超過する場合、前記イメージのフォーマットを変更し、
前記フォーマット変更されたイメージのサイズが第２しきい値を超過しない場合、前記フォーマット変更されたイメージを前記プローブ応答フレームに含めて転送するように前記ワイファイモジュールを制御することを特徴とする請求項１５に記載のピーツーピーデバイスの探索装置。
【請求項１７】
前記制御部は、
前記フォーマット変更されたイメージのサイズが前記第２しきい値を超過する場合、格納されたイメージヘッダ情報に基づいて前記選択されたか又は前記フォーマット変更されたイメージを定形化し、
前記定形化されたイメージからヘッダを除外したペイロードを前記プローブ応答フレームに含めて転送するように前記ワイファイモジュールを制御することを特徴とする請求項１６に記載のピーツーピーデバイスの探索装置。
【請求項１８】
前記イメージヘッダ情報は、フォーマット情報、イメージサイズ情報、及びイメージ背景情報のうちの少なくとも１つを含むことを特徴とする請求項１７に記載のピーツーピーデバイスの探索装置。
【請求項１９】
前記制御部は、
格納されたイメージのうちから転送するイメージを選択し、格納されたイメージヘッダ情報に基づいて前記選択されたイメージを定形化し、該定形化されたイメージからヘッダを除外したペイロードを前記プローブ応答フレームに含めて転送するように前記ワイファイモジュールを制御することを特徴とする請求項１４に記載のピーツーピーデバイスの探索装置。
【請求項２０】
電話帳を表示する表示部を更に含み、
前記制御部は、
前記電話帳が表示される中にピーツーピー連結の要請を検出した場合、前記メッセージを含むプローブ要請フレームを転送するように前記ワイファイモジュールを制御することを特徴とする請求項１４に記載のピーツーピーデバイスの探索装置。
【請求項２１】
前記ワイファイモジュールがイメージのペイロードを含むプローブ応答フレームを受信した場合、
前記制御部は、
格納されたイメージヘッダ情報に基づいて前記受信したペイロードからイメージを復元し、該復元されたイメージを表示するように前記表示部を制御することを特徴とする請求項２０に記載のピーツーピーデバイスの探索装置。
【請求項２２】
無線通信ネットワークにおける第１無線通信デバイスが第２無線通信デバイスからメッセージを受信するステップと、
前記受信したメッセージに電話番号及びユーザ識別情報のうちの少なくとも１つを要請する要請メッセージが含まれる場合、前記要請メッセージに関連する情報を前記第２無線通信デバイスに転送するステップと、を有することを特徴とするデバイス通信方法。
【発明の詳細な説明】
【技術分野】
【０００１】
本発明は、無線通信ネットワークにおけるデバイス探索方法及び装置に関し、より詳細には、ＡＰ（アクセスポイント）無しにピアツーピアデバイスを探索する方法及び装置、並びにデバイス通信方法に関する。
【背景技術】
【０００２】
無線通信技術におけるワイファイダイレクトネットワーク（Ｗｉ−Ｆｉ  Ｄｉｒｅｃｔ  ｎｅｔｗｏｒｋ）技術は、ワイファイ端末間で、インフラストラクチャー（ｉｎｆｒａｓｔｒｕｃｔｕｒｅ）ネットワークの媒体であるアクセスポイント（ＡＰ：Ａｃｃｅｓｓ  Ｐｏｉｎｔ）無しに、互いにピアツーピア（Ｐ２Ｐ：ｐｅｅｒ  ｔｏ  ｐｅｅｒ、以下、ピーツーピーとも称する）連結できるようにする技術である。既存のワイファイ技術は、ＷＬＡＮ（Ｗｉｒｅｌｅｓｓ  Ｌｏｃａｌ  Ａｒｅａ  Ｎｅｔｗｏｒｋ）ＡＰを通じたインターネット連結のみを目的とするものが大部分であり、端末間の直接通信に対する配慮が足りない実状である。端末間の直接通信はブルートゥース（Ｂｌｕｅｔｏｏｔｈ（登録商標））技術でも可能である。しかし、ブルートゥース技術は転送距離及び転送速度の面でワイファイダイレクトネットワーク技術より性能が落ちる。
【０００３】
既存のワイファイ技術では、アドホック（Ａｄ−ｈｏｃ）モードという端末間の直接通信が可能なモードをサポートしている。しかし、このようなアドホックモードは、セキュリティの脆弱性、電力消耗問題、処理量（ｔｈｒｏｕｇｈｐｕｔ）が１１Ｍｂｐｓに制限される点など、様々な短所を有しているため、実際には殆ど使われていない技術である。
【０００４】
ワイファイダイレクトネットワーク技術は、ＷＡＰ２（Ｗｉ−Ｆｉ  Ｐｒｏｔｅｃｔｅｄ  Ａｃｃｅｓｓ２）をサポートして脆弱性を補完している。また、ワイファイダイレクトネットワーク技術は、ＷＳＣ（Ｗｉ−Ｆｉ  Ｓｉｍｐｌｅ  Ｃｏｎｆｉｇｕｒａｔｉｏｎ）を用いて端末間の簡単な連結性をサポートする。また、ワイファイダイレクトネットワーク技術は、ＩＥＥＥ８０２．１１をサポートし、アドホックモードと比較して処理量（ｔｈｒｏｕｇｈｐｕｔ）を大幅改善し、より向上した電力消耗アルゴリズムを提供する。
【０００５】
ワイファイダイレクトネットワーク技術は、ＩＥＥＥ８０２．１１を基盤に作られた規格であって、レガシークライアント（Ｌｅｇａｃｙ  ｃｌｉｅｎｔ）と互換される。ハードウェア的な変更無しに端末にワイファイダイレクトネットワーク技術をアップグレードできる。
【発明の概要】
【発明が解決しようとする課題】
【０００６】
ワイファイダイレクトネットワーク技術は、ブルートゥース及びアドホック技術に比べて上述したように相当な長所を有しているが、発見された端末をユーザが容易に識別することができる技術が必要な実状である。
【０００７】
本発明は、上記従来の問題点に鑑みてなされたものであって、本発明の目的は、ワイファイダイレクトネットワーク技術において、発見された端末をユーザが容易に識別することができるようにしてユーザ経験（ＵＸ：Ｕｓｅｒ  ｅＸｐｅｒｉｅｎｃｅ）を改善するピアツーピアデバイス探索方法及び装置、並びにデバイス通信方法を提供することにある。
【課題を解決するための手段】
【０００８】
上記目的を達成するためになされた本発明の一態様による無線通信ネットワークにおけるピーツーピー（ｐｅｅｒ  ｔｏ  ｐｅｅｒ）通信が可能なピーツーピーデバイスの探索方法は、第１ピーツーピーデバイスが第２ピーツーピーデバイスからプローブ要請フレームを受信するステップと、前記受信したプローブ要請フレームに電話番号及びユーザ識別情報のうちの少なくとも１つを要請するメッセージが含まれるか否かを判断するステップと、前記受信したプローブ要請フレームに前記メッセージが含まれる場合、前記電話番号及び前記ユーザ識別情報のうちの少なくとも１つを含むプローブ応答フレームを前記第２ピーツーピーデバイスに転送するステップと、を有する。
【０００９】
上記目的を達成するためになされた本発明の他の態様による無線通信ネットワークにおけるピーツーピー（ｐｅｅｒ  ｔｏ  ｐｅｅｒ）通信が可能なピーツーピーデバイスの探索方法は、第１ピーツーピーデバイスが電話番号を要請するメッセージを含むプローブ要請フレームを転送するステップと、前記メッセージを受信した第２ピーツーピーデバイスから前記電話番号を含むプローブ応答フレームを受信するステップと、電話帳で前記受信した電話番号に関連する連絡先情報を表示するステップと、前記表示された連絡先情報が選択された場合、前記電話番号を含むプローブ応答フレームを転送した前記第２ピーツーピーデバイスとの連結を遂行するステップと、を有する。
【００１０】
上記目的を達成するためになされた本発明の一態様による無線通信ネットワークにおけるピーツーピー（ｐｅｅｒ  ｔｏ  ｐｅｅｒ）通信が可能なピーツーピーデバイスの探索装置は、前記ピーツーピー通信でアクセスポイントの役割を遂行するか又はステーションの役割を遂行し、他のピーツーピーデバイスからプローブ要請フレームを受信するワイファイモジュールと、前記受信したプローブ要請フレームに電話番号及びユーザ識別情報のうちの少なくとも１つを要請するメッセージが含まれる場合、前記電話番号及び前記ユーザ識別情報のうちの少なくとも１つを含むプローブ応答フレームを前記他のピーツーピーデバイスに転送するように前記ワイファイモジュールを制御する制御部と、を備える。
【００１１】
上記目的を達成するためになされた本発明の一態様によるデバイス通信方法は、無線通信ネットワークにおける第１無線通信デバイスが第２無線通信デバイスからメッセージを受信するステップと、前記受信したメッセージに電話番号及びユーザ識別情報のうちの少なくとも１つを要請する要請メッセージが含まれる場合、前記要請メッセージに関連する情報を前記第２無線通信デバイスに転送するステップと、を有する。
【発明の効果】
【００１２】
本発明によれば、ワイファイダイレクトネットワーク技術において、発見された端末をユーザが容易に識別することができるようにすることで、ユーザ経験（ＵＸ：Ｕｓｅｒ  ｅＸｐｅｒｉｅｎｃｅ）を改善することができる。
【図面の簡単な説明】
【００１３】
【図１】本発明の一実施形態によるピーツーピーグループを説明するためのネットワーク構成図である。
【図２】本発明の一実施形態によるピーツーピー連結方法を示すフローチャートである。
【図３】本発明の他の実施形態によるピーツーピー連結方法を示すフローチャートである。
【図４】本発明の一実施形態によるデバイスディスカバリー（Ｄｅｖｉｃｅ  Ｄｉｓｃｏｖｅｒｙ）を説明するためのフローチャートである。
【図５】本発明の一実施形態によるプロビジョンディスカバリー（Ｐｒｏｖｉｓｉｏｎ  Ｄｉｓｃｏｖｅｒｙ）を説明するためのフローチャートである。
【図６】本発明の一実施形態によるネゴシエーション（Ｎｅｇｏｔｉａｔｉｏｎ）過程を説明するためのフローチャートである。
【図７】本発明の他の実施形態によるネゴシエーション（Ｎｅｇｏｔｉａｔｉｏｎ）過程を説明するためのフローチャートである。
【図８】本発明の一実施形態による無線通信ネットワークにおける識別情報転送方法を示すフローチャートである。
【図９】プローブ応答フレームの例示である。
【図１０】プローブ応答フレームの例示である。
【図１１】プローブ応答フレームの例示である。
【図１２】プローブ応答フレームの例示である。
【図１３】本発明の一実施形態による無線通信ネットワークにおける識別情報利用方法を示すフローチャートである。
【図１４】探索されたピーツーピーデバイスの識別情報を例示した図である。
【図１５】本発明の他の実施形態による無線通信ネットワークにおける識別情報転送方法を示すフローチャートである。
【図１６】本発明の一実施形態による携帯端末機の構成図である。
【発明を実施するための形態】
【００１４】
以下、本発明のピアツーピアデバイス探索方法及び装置を実施するための形態の具体例を、図面を参照しながら詳細に説明する。本発明の詳細な説明の前に、以下で使用する用語や単語は、通常的又は辞典的な意味に限定して解釈されてはならず、本発明の技術的思想に符合する意味と概念として解釈されなければならない。従って、以下の説明と図面は、本発明の好ましい実施形態に過ぎないものであり、本発明の技術的思想を全て代弁するものではなく、本出願時点においてこれらに代えることができる多様な均等物と変形例があり得ることを理解すべきである。また、図面で一部の構成要素は、誇張、省略、又は概略的に図示し、各構成要素のサイズは、実際のサイズを全面的に反映するものでない。従って、本発明は、図面に描かれた相対的なサイズや間隔により制限されるものではない。
【００１５】
また、本発明を説明するに当たって、関連する公知機能又は構成に対する具体的な説明が本発明の要旨を曖昧にすることがあると判断される場合、その詳細な説明は省略する。
【００１６】
本発明において、ピーツーピー（Ｐ２Ｐ：ｐｅｅｒ  ｔｏ  ｐｅｅｒ）デバイスは、ワイファイダイレクトネットワークにおけるグループオーナー（Ｇｒｏｕｐ  Ｏｗｎｅｒ）及びグループクライアント（Ｇｒｏｕｐ  Ｃｌｉｅｎｔ）として作動するワイファイダイレクトネットワーク技術を具備した端末を意味する。
【００１７】
本発明において、ピーツーピー（Ｐ２Ｐ：ｐｅｅｒ  ｔｏ  ｐｅｅｒ）グループは、ワイファイダイレクトネットワークにおける１つのグループオーナー（Ｇｒｏｕｐ  Ｏｗｎｅｒ）と１つ又はそれ以上のグループクライアント（Ｇｒｏｕｐ  Ｃｌｉｅｎｔ）とから構成された１つの端末機セットを意味する。グループクライアントはグループオーナーに連結される。グループオーナーは、グループクライアントと通信し、特にグループクライアント間の通信を中継するＡＰ機能を遂行する。
【００１８】
図１は、本発明の一実施形態によるピーツーピーグループを説明するためのネットワーク構成図である。図１を参照すると、グループオーナーは多数のグループクライアントと連結可能である。勿論、１つのグループクライアントとも連結可能である。グループオーナーの性能によって受容可能なグループクライアントが決定される。このような性能は、ハードウェア的な性能及びソフトウェア的な性能に依存し、１つの例としてバッテリーの充電率がある。例えば、グループオーナーのバッテリーが８０％以上充電されていると、図示したように、４個のグループクライアントと連結できる。バッテリーの充電率が５０％未満であれば、１つのグループクライアントと連結できる。勿論、このような連結個数は端末の環境設定でユーザにより決定できる。ピーツーピー（Ｐ２Ｐ：ｐｅｅｒ  ｔｏ  ｐｅｅｒ）デバイスは、ワイファイダイレクトネットワーク技術を具備した端末であって、非常に多様であるので一々列挙することはできないが、例えば図１に示すように、携帯端末機（例えば、タブレットＰＣ、ノートブックＰＣ）、プリンタ、プロジェクター、及びディジタルＴＶなどが可能である。
【００１９】
図２は、本発明の一実施形態によるピーツーピー連結方法を示すフローチャートである。図２を参照すると、先ず、ステップ２１０で、ピーツーピーデバイスは周辺のピーツーピーデバイスを探索し、探索されたピーツーピーデバイスに連結されるディスカバリー（Ｄｉｓｃｏｖｅｒｙ）を遂行する。ディスカバリーの目的は、Ｐ２Ｐデバイスを探してＰ２Ｐデバイス相互間をできる限り速く連結できるようにすることである。ディスカバリーは、デバイスディスカバリー及びプロビジョン（ｐｒｏｖｉｓｉｏｎ）ディスカバリーを含む。デバイスディスカバリーは、大別して２ステップ、即ちスキャン（Ｓｃａｎ）ステップと発見（ｆｉｎｄ）ステップとから構成される。デバイスディスカバリーは、デバイス相互間の情報交換のためにプローブ要請フレーム（ｐｒｏｂｅ  ｒｅｑｕｅｓｔ  ｆｒａｍｅ）とプローブ応答フレーム（ｐｒｏｂｅ  ｒｅｓｐｏｎｓｅ  ｆｒａｍｅ）を使用する。ピーツーピーデバイスは、自身がグループオーナーであるか、又はリッスン状態（Ｌｉｓｔｅｎ  Ｓｔａｔｅ）である場合、他のピーツーピーデバイスから受信したプローブ要請フレームに応答（ｒｅｓｐｏｎｓｅ）する。また、ピーツーピーデバイスは、自身がグループオーナーである場合、ビーコンフレーム（ｂｅａｃｏｎ  ｆｒａｍｅ）を転送する。ピーツーピーデバイスは、グループに属しない場合、リッスン状態を使用する。即ち、リッスン状態でピーツーピーデバイスは受信したプローブ要請フレームに対して応答する。
【００２０】
リッスン状態でピーツーピーデバイスはソーシャルチャンネルリスト（Ｓｏｃｉａｌ  Ｃｈａｎｎｅｌ  Ｌｉｓｔ）からリッスンチャンネル（Ｌｉｓｔｅｎ  ｃｈａｎｎｅｌ）を選択する。例えば、ワイファイ連合技術委員会（Ｗｉ−Ｆｉ  Ａｌｌｉａｎｃｅ  Ｔｅｃｈｎｉｃａｌ  Ｃｏｍｍｉｔｔｅｅ）が定めたワイファイピーツーピー技術仕様（Ｗｉ−Ｆｉ  Ｐ２Ｐ  Ｔｅｃｈｎｉｃａｌ  Ｓｐｅｃｉｆｉｃａｔｉｏｎ）によると、２．４ＧＨｚバンドでチャンネル１、６、及び１１がソーシャルチャンネル（Ｓｏｃｉａｌ  Ｃｈａｎｎｅｌ）として使用できる。例えば、チャンネル１が選択されると、ピーツーピーデバイスはチャンネル１を通じてプローブ要請フレームを受信することができるが、他のチャンネルを通じてはプローブ要請フレームを受信することができない。このようなリッスンチャンネル（Ｌｉｓｔｅｎ  ｃｈａｎｎｅｌ）は、デバイスディスカバリーが始まる時に選択されてディスカバリーが完了する時まで維持される。また、リッスンチャンネルは、予め定められた時間が経過すると、他のチャンネルに変更される。ＩＥＥＥ８０２．１１では２．４ＧＨｚ帯域が使われ、総１４個のチャンネルがある。チャンネル間の間隔（ｉｎｔｅｒｖａｌ）は５ＭＨｚであり、それぞれのチャンネルは２２ＭＨｚの帯域（ｂａｎｄ）を有する。それぞれのチャンネルは、互いに独立的でなく、重畳する。しかし、１４個のチャンネルのうちの３個、例えばチャンネル１、６、及び１１は相互間でチャンネル干渉（Ｃｈａｎｎｅｌ  Ｉｎｔｅｒｆｅｒｅｎｃｅ）しない。
【００２１】
デバイスディスカバリー（Ｄｉｓｃｏｖｅｒｙ）で、スキャンステップは、ピーツーピーデバイス又はピーツーピーグループを探すステップである。また、スキャンステップはピーツーピーグループを設定することに最も適合したチャンネルを探すステップである。即ち、スキャンステップで、ピーツーピーデバイスはサポートされる全てのチャンネルをスキャンして周辺のデバイス又はネットワークから情報を収集する。スキャンステップで、ピーツーピーデバイスはプローブ要請フレームに対して応答しないことがある。
【００２２】
デバイスディスカバリー（Ｄｉｓｃｏｖｅｒｙ）で、発見（ｆｉｎｄ）ステップは同一チャンネルに存在するピーツーピーデバイスがメッセージを送受信して互いを発見するステップである。リッスン状態で、ピーツーピーデバイスはプローブ要請フレームの受信を待つ。プローブ要請フレームが受信されると、プローブ応答フレームを相手ピーツーピーデバイスに転送する。ピーツーピーデバイスは、リッスン状態で検索状態（Ｓｅａｒｃｈ  Ｓｔａｔｅ）に変更される。検索状態で、ピーツーピーデバイスは、プローブ要請フレームを転送し、これに応答して相手ピーツーピーデバイスが転送したプローブ応答フレームを受信する。プローブ応答フレームには、デバイスネーム（Ｄｅｖｉｃｅ  Ｎａｍｅ）、ピーツーピーデバイスアドレス（Ｐ２Ｐ  Ｄｅｖｉｃｅ  Ａｄｄｒｅｓｓ）、ベンダ（ｖｅｎｄｏｒ）情報などを含む。特に、ピーツーピーデバイスが移動通信可能な機種、例えばスマートフォンの場合、プローブ応答フレームは電話番号（ｐｈｏｎｅ  ｎｕｍｂｅｒ）を更に含む。また、プローブ応答フレームは該当ピーツーピーデバイスユーザの識別情報を更に含む。このようなユーザ識別情報は、ユーザの名前、写真などを含むことができる。プローブ応答フレームを受信したピーツーピーデバイスは、プローブ応答フレームに含まれる上述した情報をユーザが確認することができるように表示する。
【００２３】
デバイスディスカバリーを通じて互いに探索されたピーツーピーデバイスは互いに連結が可能である。先ず、ピーツーピーデバイスは連結を希望する相手ピーツーピーデバイスとプロビジョンディスカバリーを遂行する。プロビジョンディスカバリーは、ピーツーピーデバイスがＷＳＣ（Ｗｉ−Ｆｉ  Ｓｉｍｐｌｅ  Ｃｏｎｆｉｇｕｒａｔｉｏｎ）のＰＩＮ（Ｐｅｒｓｏｎａｌ  Ｉｄｅｎｔｉｆｉｃａｔｉｏｎ  Ｎｕｍｂｅｒ）モード又はＰＢＣ（Ｐｕｓｈ  Ｂｕｔｔｏｎ  Ｃｏｎｆｉｇｕｒａｔｉｏｎ）モードを通じて相手ピーツーピーデバイスと連結を試みる時、このような連結の試みをユーザに知らせるものである。ピーツーピーデバイスは、プロビジョンディスカバリーのためのプロビジョンディスカバリー要請フレーム（Ｐｒｏｖｉｓｉｏｎ  Ｄｉｓｃｏｖｅｒｙ  Ｒｅｑｕｅｓｔ  ｆｒａｍｅ）を受信し、ポップアップなどを通じてユーザにメッセージの内容を知らせる。このようなポップアップにはデバイスの名前などのプロビジョンディスカバリーを要請したピーツーピーデバイスの情報が含まれる。要請を受けたピーツーピーデバイスのユーザは、連結を受容するか否か、及びＷＳＣ（Ｗｉ−Ｆｉ  Ｓｉｍｐｌｅ  Ｃｏｎｆｉｇｕｒａｔｉｏｎ）などを決定する。ピーツーピーデバイスは連結を受容するか否かなどを相手ピーツーピーデバイスに知らせるために、プロビジョンディスカバリー応答フレーム（Ｐｒｏｖｉｓｉｏｎ  Ｄｉｓｃｏｖｅｒｙ  Ｒｅｓｐｏｎｓｅ  ｆｒａｍｅ）を相手ピーツーピーデバイスに転送する。
【００２４】
プロビジョンディスカバリーが完了すると、ステップ２２０で、ピーツーピーデバイスは担当する役割を相手ピーツーピーデバイスとネゴシエーション（Ｎｅｇｏｔｉａｔｉｏｎ）するステップを遂行する。このステップで、グループオーナーに決まったピーツーピーデバイスはＡＰの役割を遂行し、グループクライアントに決まったピーツーピーデバイスはステーション（ｓｔａｔｉｏｎ）の役割を遂行する。
【００２５】
役割ネゴシエーションが完了すると、ステップ２３０で、ピーツーピーデバイスは、ピーツーピー通信に必要な情報、例えばネットワークキー（ｎｅｔｗｏｒｋ  ｋｅｙ）、暗号化タイプ（ｅｎｃｒｙｐｔｉｏｎ  ｔｙｐｅ）、ＳＳＩＤ（Ｓｅｒｖｉｃｅ  Ｓｅｔ  Ｉｄｅｎｔｉｆｉｃａｔｉｏｎ）、認証タイプ（Ａｕｔｈｅｎｔｉｃａｔｉｏｎ  ｔｙｐｅ）などを相手ピーツーピーデバイスと交換してピーツーピー連結を完了する。
【００２６】
ピーツーピー連結が完了すると、ステップ２４０で、グループオーナーはＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバを駆動してグループクライアントにインターネットプロトコル（Ｉｎｔｅｒｎｅｔ  Ｐｒｏｔｏｃｏｌ：ＩＰ）アドレスを動的に割り当てる。ここで、ＤＨＣＰは、周知のように、ネットワーク管理者（即ち、グループオーナー）がピーツーピーグループのＩＰアドレスを管理し、グループクライアントに割り当てることができるようにするプロトコルである。ワイファイダイレクトネットワーク技術は、インターネットプロトコル基盤の通信技術であるため、グループクライアントはグループオーナーからＩＰアドレスの割当を受ける必要がある。このようなＩＰアドレス割当は、ディスカバリー（Ｄｉｓｃｏｖｅｒｙ）又はネゴシエーション（Ｎｅｇｏｔｉａｔｉｏｎ）ステップで遂行される。これによって、全体的なピーツーピー連結の速度を改善することができる。
【００２７】
図３は、本発明の他の実施形態によるピーツーピー連結方法を示すフローチャートである。図３を参照すると、先ずステップ３１０で、ピーツーピーデバイスは周辺のピーツーピーデバイスを探索するデバイスディスカバリーを遂行する。そして、ステップ３１０で、ピーツーピーデバイスは探索されたピーツーピーデバイスに連結されるプロビジョンディスカバリーを遂行する。特に、プロビジョンディスカバリー要請フレーム及びプロビジョンディスカバリー応答フレームは、グループクライアントに割り当てるＩＰアドレスを含む。ここで、ＩＰアドレスは、ローカル領域、即ち該当ピーツーピーグループ内のみで使用可能な私設（ｐｒｉｖａｔｅ）ＩＰアドレスである。ピーツーピーデバイスは私設ＩＰアドレスリストを格納する。例えば、私設ＩＰアドレスは“１６５．２１３．３０．２〜２５４”である。ピーツーピーデバイスは、私設ＩＰアドレスリストから任意の私設ＩＰアドレスを選択し、選択された私設ＩＰアドレスをプロビジョンディスカバリー要請フレームに含めて他のピーツーピーデバイスに転送する。また、ピーツーピーデバイスは、私設ＩＰアドレスをプロビジョンディスカバリー応答フレームに含めて他のピーツーピーデバイスに転送する。次に、ネゴシエーション（Ｎｅｇｏｔｉａｔｉｏｎ）ステップでグループクライアントに決まったピーツーピーデバイスは、受信した私設ＩＰアドレスを自身のＩＰアドレスに割り当てる。
【００２８】
プロビジョンディスカバリーが完了すると、ステップ３２０で、ピーツーピーデバイスは担当する役割を相手ピーツーピーデバイスとネゴシエーション（Ｎｅｇｏｔｉａｔｉｏｎ）するステップを遂行する。このステップで、グループオーナーに決まったピーツーピーデバイスはＡＰの役割を遂行し、グループクライアントに決まったピーツーピーデバイスはステーション（ｓｔａｔｉｏｎ）の役割を遂行する。ピーツーピーグループで、ピーツーピーデバイスはグループオーナーを決定するためにメッセージを送受信する。この際、このようなメッセージには、ＩＰアドレス、特に私設ＩＰアドレスが含まれる。即ち、ピーツーピーデバイスは、私設ＩＰアドレスリストから任意の私設ＩＰアドレスを選択し、選択された私設ＩＰアドレスをメッセージに含めて他のピーツーピーデバイスに転送する。ネゴシエーション（Ｎｅｇｏｔｉａｔｉｏｎ）結果、グループクライアントに決まったピーツーピーデバイスは、受信した私設ＩＰアドレスを自身のＩＰアドレスに割り当てる。
【００２９】
役割ネゴシエーションが完了すると、ステップ３３０で、ピーツーピーデバイスは、ピーツーピー通信に必要な情報、例えばネットワークキー（ｎｅｔｗｏｒｋ  ｋｅｙ）、暗号化タイプ（ｅｎｃｒｙｐｔｉｏｎ  ｔｙｐｅ）、ＳＳＩＤ（Ｓｅｒｖｉｃｅ  Ｓｅｔ  Ｉｄｅｎｔｉｆｉｃａｔｉｏｎ）、認証タイプ（Ａｕｔｈｅｎｔｉｃａｔｉｏｎ  ｔｙｐｅ）などを相手ピーツーピーデバイスと交換してピーツーピー連結を完了する。
【００３０】
図４は、本発明の一実施形態によるデバイスディスカバリー（Ｄｅｖｉｃｅ  Ｄｉｓｃｏｖｅｒｙ）を説明するためのフローチャートである。図４を参照すると、第１ピーツーピーデバイス４１０と第２ピーツーピーデバイス４２０がデバイスディスカバリーに参加することと仮定する。ステップ４１１で、第１ピーツーピーデバイス４１０のユーザはピーツーピー連結を第１ピーツーピーデバイス４１０に命令する。即ち、ユーザがピーツーピー連結のために、第１ピーツーピーデバイス４１０に備えられた入力部、例えばタッチスクリーンを操作すると、タッチスクリーンは入力されたタッチイベントをデバイスの制御部に伝達する。制御部は、入力されたタッチイベントからピーツーピー連結、即ちデバイスディスカバリーの命令を検出する。ステップ４１２で、第１ピーツーピーデバイス４１０は、デバイスディスカバリーの命令に応答して、先ずスキャンを遂行する。例えば、第１ピーツーピーデバイス４１０は、ＩＥＥＥ８０２．１１のチャンネル１、６、及び１１を順次にスキャンして周辺のピーツーピーデバイスから情報を収集する。スキャン完了後、第１ピーツーピーデバイス４１０は発見（ｆｉｎｄ）ステップを遂行する。一方、ステップ４２１で、第２ピーツーピーデバイス４２０のユーザはディスカバリーの遂行を第２ピーツーピーデバイス４２０に命令する。これによって、ステップ４２２で、第２ピーツーピーデバイス４２０は、ユーザの命令に応答して、先ずスキャンを遂行する。スキャン完了後、第２ピーツーピーデバイス４２０は発見（ｆｉｎｄ）ステップを遂行する。
【００３１】
ステップ４１３で、第１ピーツーピーデバイス４１０はリッスン状態に進入する。第１ピーツーピーデバイス４１０は、リッスンチャンネル（Ｌｉｓｔｅｎ  ｃｈａｎｎｅｌ）として、例えばチャンネル１を選択する。予め定められた時間が経過すると、ステップ４１４で、第１ピーツーピーデバイス４１０は検索状態（Ｓｅａｒｃｈ  ｓｔａｔｅ）に進入する。検索状態で第１ピーツーピーデバイス４１０は、先ずチャンネル１を選択してプローブ要請フレームを転送する。応答がなければ、第１ピーツーピーデバイス４１０はチャンネル６を選択してプローブ要請フレームを転送する。この際、第２ピーツーピーデバイス４２０はチャンネル６に対してリッスン状態である。従って、第２ピーツーピーデバイス４２０は、チャンネル６を通じてプローブ要請フレームを受信し、これに対する応答としてチャンネル６を通じてプローブ応答フレームを転送する。ここで、プローブ応答フレームは識別情報を含む。特に、プローブ応答フレームは、電話番号、ユーザの名前、写真などを含むことができる。第１ピーツーピーデバイス４１０は、チャンネル６を通じてプローブ応答フレームを受信する。そして、ステップ４１５で、第１ピーツーピーデバイス４１０は、プローブ応答フレームに含まれている情報、例えば、電話番号、ユーザの名前、写真などをユーザが確認することができるように表示する。特に、第１ピーツーピーデバイス４１０は自身の電話帳と連係して情報を表示する。例えば、第１ピーツーピーデバイス４１０は、受信した電話番号に関連する情報（例えば、名前、イメージ、Ｅメールアドレス等）を電話帳から読み込んで表示する。ユーザはこのような情報を見て、連結を受容するか否かを決定する。
【００３２】
図５は、本発明の一実施形態によるプロビジョンディスカバリー（Ｐｒｏｖｉｓｉｏｎ  Ｄｉｓｃｏｖｅｒｙ）を説明するためのフローチャートである。図５を参照すると、第１ピーツーピーデバイス５１０と第２ピーツーピーデバイス５２０がプロビジョンディスカバリーに参加することと仮定する。デバイスディスカバリーを通じて互いに探索された第１ピーツーピーデバイス５１０と第２ピーツーピーデバイス５２０とは互いに連結が可能である。第１ピーツーピーデバイス５１０のユーザは連結の受容を第１ピーツーピーデバイス５１０に命令する。例えば、ユーザが第２ピーツーピーデバイス５２０との連結のために、第１ピーツーピーデバイス５１０に備えられた入力部、例えばタッチスクリーンを操作すると、タッチスクリーンは入力されたタッチイベントをデバイスの制御部に伝達する。制御部は、入力されたタッチイベントから連結受容、即ちプロビジョンディスカバリーの命令を検出する。
【００３３】
プロビジョンディスカバリーの命令に応答して、ステップ５０１で、第１ピーツーピーデバイス５１０が先ずプロビジョンディスカバリー要請フレームを第２ピーツーピーデバイス５２０に転送する。この際、プロビジョンディスカバリー要請フレームにはＩＰアドレスが含まれる。プロビジョンディスカバリー要請フレームでＩＰアドレスは私設ＩＰアドレスである。特に、プロビジョンディスカバリー要請フレームに含まれる私設ＩＰアドレスは“１６５．２１３．３０．２〜２５４”のうちの１つになる。
【００３４】
次に、ステップ５０２で、第２ピーツーピーデバイス５２０はプロビジョンディスカバリー要請フレームの受信に応答してプロビジョンディスカバリー応答フレームを第１ピーツーピーデバイス５１０に転送する。この際、プロビジョンディスカバリー応答フレームにはＩＰアドレス、特に私設ＩＰアドレスが含まれる。
【００３５】
図６は、本発明の一実施形態によるネゴシエーション（Ｎｅｇｏｔｉａｔｉｏｎ）過程を説明するためのフローチャートである。図６を参照すると、第１ピーツーピーデバイス６１０と第２ピーツーピーデバイス６２０は、ディスカバリーを遂行して互いを発見した状態である。ステップ６０１で、第１ピーツーピーデバイス６１０はグループオーナーネゴシエーション要請フレーム（ＧＯ  Ｎｅｇｏｔｉａｔｉｏｎ  Ｒｅｑｕｅｓｔ  ｆｒａｍｅ）を第２ピーツーピーデバイス６２０に転送する。本実施形態によると、グループオーナーネゴシエーション要請フレームは、ピーツーピー情報（Ｐ２Ｐ  Ｉｎｆｏｒｍａｔｉｏｎ  Ｅｌｅｍｅｎｔ（ＩＥ））、ＷＳＣ情報（ＩＥ）、及びＩＰアドレスを含む。
【００３６】
グループオーナーネゴシエーション要請フレームで、ＩＰアドレスは私設ＩＰアドレスである。特に、グループオーナーネゴシエーション要請フレームに含まれる私設ＩＰアドレスは“１６５．２１３．３０．２〜２５４”のうちの１つになる。
【００３７】
即ち、第１ピーツーピーデバイス６１０は、格納された私設ＩＰアドレスリストから１つを任意に選択し、選択された私設ＩＰアドレスをグループオーナーネゴシエーション要請フレームに含めて転送する。但し、例えば“１６５．２１３．３０．２〜１０”は、第３のピーツーピーデバイスに割り当てる前に、上記の選択から除外される。ここで、第３のピーツーピーデバイスは、ネゴシエーション（Ｎｅｇｏｔｉａｔｉｏｎ）が完了した後、ピーツーピーグループにピーツーピークライアントとして進入を要請するピーツーピーデバイスを意味する。即ち、グループオーナーに決まったピーツーピーデバイスは“１６５．２１３．３０．２〜１０”のうちから１つを第３のピーツーピーデバイスに割り当てる。
【００３８】
グループオーナーネゴシエーション要請フレームで、ピーツーピー情報は、デバイス情報、設定タイムアウト（Ｃｏｎｆｉｇｕｒａｔｉｏｎ  Ｔｉｍｅｏｕｔ）、リッスンチャンネル（Ｌｉｓｔｅｎ  Ｃｈａｎｎｅｌ）、リッスンチャンネルリスト、及びグループオーナーインテント（Ｇｒｏｕｐ  Ｏｗｎｅｒ  Ｉｎｔｅｎｔ：ＧＯＩ）などを含む。ここで、グループオーナーインテントは、該当メッセージを転送したピーツーピーデバイス、即ち第１ピーツーピーデバイス６１０がグループオーナーをする意向を数値として表した値である。即ち、ＧＯＩの値が大きいと、該当ピーツーピーデバイスはグループオーナーに決まる可能性が大きい。ＧＯＩの範囲は予め約束できる。例えば、０〜１５までがＧＯＩの範囲である。ピーツーピーデバイスは、自身の性能（例えば、バッテリーの充電率）に基づいて上記ＧＯＩ範囲で値を選択し、選択された値をグループオーナーネゴシエーション要請フレームに含めて転送する。例えば、ピーツーピーデバイスは、自身がノートブックＰＣと外部商用電源から電源の供給を受けている状態である場合、ＧＯＩを１５に選択する。
【００３９】
第２ピーツーピーデバイス６２０は、第１ピーツーピーデバイス６１０からグループオーナーネゴシエーション要請フレームを受信し、これに応答してステップ６０２で、グループオーナーネゴシエーション応答フレームを転送する。本実施形態によると、グループオーナーネゴシエーション応答フレームは、ピーツーピー情報（Ｐ２Ｐ  Ｉｎｆｏｒｍａｔｉｏｎ  Ｅｌｅｍｅｎｔ（ＩＥ）、ＷＳＣ情報（ＩＥ）、及びＩＰアドレスを含む。
【００４０】
グループオーナーネゴシエーション応答フレームにおいて、ＩＰアドレスは上述したように、私設ＩＰアドレスである。特に、グループオーナーネゴシエーション応答フレームに含まれる私設ＩＰアドレスは“１６５．２１３．３０．２〜２５４”のうちの１つになる。但し、“１６５．２１３．３０．２〜１０”は上述したような理由により除外される。また、グループオーナーネゴシエーション応答フレームで、ピーツーピー情報は、デバイス情報、設定タイムアウト（Ｃｏｎｆｉｇｕｒａｔｉｏｎ  Ｔｉｍｅｏｕｔ）、リッスンチャンネル（Ｌｉｓｔｅｎ  Ｃｈａｎｎｅｌ）、リッスンチャンネルリスト、及びグループオーナーインテント（Ｇｒｏｕｐ  Ｏｗｎｅｒ  Ｉｎｔｅｎｔ：ＧＯＩ）などを含む。
【００４１】
以上、第１ピーツーピーデバイス６１０及び第２ピーツーピーデバイス６２０は、グループオーナーインテント（ＧＯＩ）を交換してグループオーナーを決定する。例えば、第１ピーツーピーデバイス６１０が選択したＧＯＩの値が１０であり、第２ピーツーピーデバイス６２０が選択したＧＯＩの値が５である場合、第１ピーツーピーデバイス６１０がグループオーナーに決まり、第２ピーツーピーデバイス６２０がグループクライアントに決まる。従って、第１ピーツーピーデバイス６１０は該当ピーツーピーグループの内でＡＰの役割を遂行し、第２ピーツーピーデバイス６２０は該当ピーツーピーグループの内でステーション（ｓｔａｔｉｏｎ）の役割を遂行する。また、第２ピーツーピーデバイス６２０は、第１ピーツーピーデバイス６１０がグループオーナーに決まったため、第１ピーツーピーデバイス６１０から受信したＩＰアドレスを自身のＩＰアドレスに割り当てる。
【００４２】
一方、ステップ６０３で、第１ピーツーピーデバイス６１０は、自身がグループオーナーに決まったことを知らせるために、第２ピーツーピーデバイス６２０にグループオーナーネゴシエーション確認フレーム（Ｇｒｏｕｐ  Ｏｗｎｅｒ（ＧＯ）Ｎｅｇｏｔｉａｔｉｏｎ  Ｃｏｎｆｉｒｍａｔｉｏｎ  Ｆｒａｍｅ）を転送する。
【００４３】
図７は、本発明の他の実施形態によるネゴシエーション（Ｎｅｇｏｔｉａｔｉｏｎ）過程を説明するためのフローチャートである。図７を参照すると、第１ピーツーピーデバイス７１０と第２ピーツーピーデバイス７２０は、ディスカバリーを遂行して互いを発見した状態である。ステップ７０１で、第１ピーツーピーデバイス７１０はグループオーナーネゴシエーション要請フレーム（ＧＯ  Ｎｅｇｏｔｉａｔｉｏｎ  Ｒｅｑｕｅｓｔ  ｆｒａｍｅ）を第２ピーツーピーデバイス７２０に転送する。本実施形態によると、グループオーナーネゴシエーション要請フレームは、ピーツーピー情報（Ｐ２Ｐ  Ｉｎｆｏｒｍａｔｉｏｎ  Ｅｌｅｍｅｎｔ（ＩＥ）及びＷＳＣ情報（ＩＥ）を含む。グループオーナーネゴシエーション要請フレームで、ピーツーピー情報は、デバイス情報、設定タイムアウト（Ｃｏｎｆｉｇｕｒａｔｉｏｎ  Ｔｉｍｅｏｕｔ）、リッスンチャンネル（Ｌｉｓｔｅｎ  Ｃｈａｎｎｅｌ）、リッスンチャンネルリスト、及びグループオーナーインテント（Ｇｒｏｕｐ  Ｏｗｎｅｒ  Ｉｎｔｅｎｔ：ＧＯＩ）などを含む。ここで、グループオーナーインテントは、該当メッセージを転送したピーツーピーデバイス、即ち第１ピーツーピーデバイス７１０がグループオーナーをする意向を数値として表した値である。ＧＯＩについては先に詳細に説明した。
【００４４】
第２ピーツーピーデバイス７２０は、第１ピーツーピーデバイス７１０からグループオーナーネゴシエーション要請フレームを受信し、これに応答してステップ７０２でグループオーナーネゴシエーション応答フレームを転送する。ここで、グループオーナーネゴシエーション応答フレームは、ピーツーピー情報（Ｐ２Ｐ  Ｉｎｆｏｒｍａｔｉｏｎ  Ｅｌｅｍｅｎｔ（ＩＥ））及びＷＳＣ情報（ＩＥ）を含む。
【００４５】
以上、第１ピーツーピーデバイス７１０及び第２ピーツーピーデバイス７２０は、グループオーナーインテント（ＧＯＩ）を交換してグループオーナーを決定する。例えば、第１ピーツーピーデバイス７１０が選択したＧＯＩの値が第２ピーツーピーデバイス７２０のものより大きい場合、第１ピーツーピーデバイス７１０がグループオーナーに決まる。これによって、第１ピーツーピーデバイス７１０は該当ピーツーピーグループの内でＡＰの役割を遂行し、第２ピーツーピーデバイス７２０は該当ピーツーピーグループの内でステーション（ｓｔａｔｉｏｎ）の役割を遂行する。
【００４６】
一方、ステップ７０３で、第１ピーツーピーデバイス７１０は、自身がグループオーナーに決まったことを知らせるために、第２ピーツーピーデバイス７２０にグループオーナーネゴシエーション確認フレーム（Ｇｒｏｕｐ  Ｏｗｎｅｒ（ＧＯ）Ｎｅｇｏｔｉａｔｉｏｎ  Ｃｏｎｆｉｒｍａｔｉｏｎ  Ｆｒａｍｅ）を転送する。特に、本実施形態によると、グループオーナーネゴシエーション確認フレームにはＩＰアドレスが含まれる。ここで、ＩＰアドレスは上述したように私設ＩＰアドレスである。第２ピーツーピーデバイス７２０は、グループオーナーに決まった第１ピーツーピーデバイス７１０から受信したＩＰアドレスを自身のＩＰアドレスに割り当てる。
【００４７】
図８は、本発明の一実施形態による無線通信ネットワークにおける識別情報転送方法を示すフローチャートである。図８を参照すると、ステップ８０１で、ピーツーピーデバイスは他のピーツーピーデバイスからプローブ要請フレーム（Ｐｒｏｂｅ  Ｒｅｑｕｅｓｔ  Ｆｒａｍｅ）を受信する。ステップ８０２で、ピーツーピーデバイスは受信したプローブ要請フレームに“電話番号及びユーザ識別情報”を要請するメッセージが含まれているか否かを判断する。
【００４８】
プローブ要請フレームに電話番号及びユーザ識別情報を要請するメッセージが含まれている場合、ステップ８０３で、ピーツーピーデバイスは、ピーツーピーデバイスアドレス、デバイスネーム、電話番号、及びユーザ識別情報などを含むプローブ応答フレームを転送する。ここで、ユーザ識別情報はイメージを含むことができる。このようなイメージはピーツーピー連結のための環境設定でユーザにより設定される。ピーツーピーデバイスはホーム画面を表示する。このようなホーム画面は環境設定に対応するアイコンを含む。ユーザが環境設定に対応するアイコンを選択すると、ピーツーピーデバイスはホーム画面で環境設定に対応するアイコンに対するユーザの選択を検出する。そして、ピーツーピーデバイスは環境設定画面を表示する。環境設定画面が表示された状態で、ユーザはピーツーピーデバイスの入力部（例えば、タッチスクリーン）を操作してピーツーピー連結に使用する自身のプロフィールを設定する。特に、ユーザは写真フォルダからピーツーピー連結に使用するプロフィールイメージを選択することができる。イメージ以外に、ユーザは、名前、アドレス、Ｅメールなどをプロフィールに含めることができる。
【００４９】
プローブ要請フレームに電話番号及びユーザ識別情報を要請するメッセージが含まれていない場合、ステップ８０４で、ピーツーピーデバイスはピーツーピーデバイスアドレス及びデバイスネームなどを含むプローブ応答フレームを転送する。即ち、ステップ８０４におけるプローブ要請フレームには電話番号及びユーザ識別情報が含まれない。全てのプローブ応答フレームに電話番号及びユーザ識別情報が含まれる場合、フレームサイズが大きくなり、非効率的である。ピーツーピーデバイスは、電話番号及びユーザ識別情報に対する要請がある場合のみに電話番号及びユーザ識別情報をプローブ応答フレームに含めて転送する。
【００５０】
図９〜図１２は、本発明によるプローブ応答フレームの例示である。図９を参照すると、プローブ要請フレームに電話番号及びユーザ識別情報を要請するメッセージが含まれていない場合、ピーツーピーデバイスは、図９に示すようなデバイスネーム９１０を含むプローブ応答フレームを転送する。即ち、プローブ応答フレームには電話番号及びユーザ識別情報が含まれない。
【００５１】
図１０を参照すると、ピーツーピーデバイスは、図１０（ａ）に示すように、電話番号及びユーザ識別情報を要請するメッセージ１０１０を含むプローブ要請フレームを受信する。このような場合、ピーツーピーデバイスは、図１０（ｂ）に示すように、電話番号及びイメージ（例えば、サムネール（Ｔｈｕｍｂｎａｉｌ））を含むプローブ応答フレームを転送する。
【００５２】
図１１を参照すると、ピーツーピーデバイスは、ユーザ識別情報は除いて電話番号１１１０のみをプローブ応答フレームに含めて転送する。例えば、相手が電話番号のみを要請した場合、ピーツーピーデバイスは電話番号のみを転送する。また、ユーザのプロフィールイメージのサイズが予め定められたフレームのサイズを超過する場合、ピーツーピーデバイスは電話番号のみを転送する。ワイファイダイレクトネットワーク仕様（ｓｐｅｃｉｆｉｃａｔｉｏｎ）によると、プローブ応答フレームのサイズは１５００ｂｙｔｅｓ以内に定められる。プローブ応答フレームにイメージのみが含まれると仮定しても、該当イメージが１５００ｂｙｔｅｓを超過すると転送できない。従って、プロフィールイメージのサイズがあまりに大きい場合、ピーツーピーデバイスは電話番号のみを転送する。勿論、ピーツーピーデバイスはプロフィールイメージを小さくリサイジング（ｒｅｓｉｚｉｎｇ）して転送することができる。また、小さくリサイジングされたプロフィールイメージからヘッダ（ｈｅａｄｅｒ）を除外したペイロード（ｐａｙｌｏａｄ）のみを転送することもできる。そして、電話番号はユーザのプライバシー（ｐｒｉｖａｃｙ）保護のために、暗号化して転送される。暗号化された電話番号を受信したピーツーピーデバイスは暗号化された電話番号を復号化して表示する。
【００５３】
図１２を参照すると、ピーツーピーデバイスは電話番号を除いてイメージ１２１０のみをプローブ応答フレームに含めて転送する。特に、ピーツーピーデバイスは、転送するプローブ応答フレームのサイズを縮めるために、イメージのうちからヘッダ（ｈｅａｄｅｒ）を除外したペイロード（ｐａｙｌｏａｄ）のみを転送する。例えば、ユーザは自身のプライバシー（ｐｒｉｖａｃｙ）のために電話番号を転送しないように環境設定することができる。即ち、環境設定で電話番号が転送禁止に設定されている場合、ピーツーピーデバイスは、電話番号を除外したイメージ、特にペイロードのみを転送する。周知のように、イメージはヘッダとペイロードとから構成される。ここで、ヘッダは、該当イメージのフォーマット情報、サイズ情報、背景（ｐａｌｅｔｔｅ）情報などを含む。ペイロードを受信したピーツーピーデバイスは、受信したペイロードのヘッダを知っている場合、知っているヘッダと受信したペイロードとを結合してイメージを復元する。そして、ピーツーピーデバイスは復元されたイメージを表示する。
【００５４】
図１３は、本発明の一実施形態による無線通信ネットワークにおける識別情報利用方法を示すフローチャートである。先ず、図１３で、ピーツーピーデバイスは、移動通信が可能な機種、例えばスマートフォンであると仮定する。図１３を参照すると、ステップ１３０１で、ピーツーピーデバイスはホーム画面を表示する。ここで、ホーム画面には電話帳に対応するアイコンを含む。ユーザがピーツーピーデバイスに備えられた入力部、例えばタッチスクリーンを操作して電話帳に対応するアイコンを選択すると、ステップ１３０２で、ピーツーピーデバイスは電話帳の選択を検出する。そして、ステップ１３０３で、電話帳を表示する。ここで、電話帳は多数の連絡先情報を含む。それぞれの連絡先情報は、電話番号、受信者の名前、イメージ、Ｅメールアドレス、ホームページアドレスなどを含む。ユーザは、電話帳を通じてピーツーピー連結を行う。即ち、ピーツーピーデバイスは電話帳からいずれか１つの連絡先の選択を検出する。そして、ステップ１３０４で、ピーツーピーデバイスは、選択された連絡先に該当するピーツーピーデバイスとのピーツーピー連結の要請を検出する。ステップ１３０４で、ピーツーピー連結でない他の機能、例えば通話の要請が検出されると、ピーツーピーデバイスは、該当機能、即ち選択された連絡先の端末に通話を試みる。
【００５５】
ステップ１３０４で、ピーツーピー連結の要請が検出されると、先ずピーツーピーデバイスは上述したデバイスディスカバリーを遂行する。特に、ステップ１３０５で、ピーツーピーデバイスは電話番号及びユーザ識別情報要請メッセージを含むプローブ要請フレームを転送する。そして、ステップ１３０６で、ピーツーピーデバイスは電話番号及びユーザ識別情報を含むプローブ応答フレームを受信する。
【００５６】
次に、ステップ１３０７で、ピーツーピーデバイスは受信した電話番号が電話帳に存在するか否かを判断する。受信した電話番号が電話帳に存在する場合（特に、受信した電話番号が選択された連絡先に該当する場合）、ステップ１３０８で、ピーツーピーデバイスは直ちにプロビジョンディスカバリーを遂行する。即ち、ステップ１３０８で、ピーツーピーデバイスは電話番号を転送したピーツーピーデバイスとの連結を遂行する。受信した電話番号が電話帳に存在しない場合、ステップ１３０９で、ピーツーピーデバイスは受信した電話番号及びユーザ識別情報を表示する。ユーザは、表示されたユーザ識別情報を通じて相手が誰かを識別することができる。次に、ステップ１３１０で、ピーツーピーデバイスは電話番号を転送したピーツーピーデバイスとの連結の要請を検出する。ステップ１３１０で、電話番号を転送したピーツーピーデバイスとの連結の要請が検出されると、プロセスはステップ１３０８に進行する。一方、連結の要請が検出されない場合（即ち、ユーザが電話番号を転送したピーツーピーデバイスとの連結を願わない場合）、ピーツーピー連結は遂行されない。
【００５７】
図１４は、探索されたピーツーピーデバイスの識別情報を例示した図である。先ず、図１４（ａ）を参照すると、ピーツーピーデバイスは電話番号を含むプローブ応答フレームを受信する。そして、ピーツーピーデバイスは受信した電話番号が電話帳に存在するか否かを判断する。受信した電話番号が電話帳に存在する場合、ピーツーピーデバイスは受信した電話番号１４１０及びそれに関連する連絡先情報（例えば、受信者の名前１４２０）を表示する。図１４（ａ）に示すように、探索された２つのピーツーピーデバイスのうちのいずれか１つがユーザにより選択されると、ピーツーピーデバイスはユーザが選択したピーツーピーデバイスとの連結を遂行する。図１４（ｂ）を参照すると、ピーツーピーデバイスは電話番号及びイメージを含むプローブ応答フレームを受信する。そして、ピーツーピーデバイスは受信した電話番号が電話帳に存在するか否かを判断する。受信した電話番号が電話帳に存在する場合、ピーツーピーデバイスは受信した電話番号に関連する連絡先情報（例えば、受信者の名前１４３０）及び受信したイメージ１４４０を表示する。
【００５８】
図１５は、本発明の他の実施形態による無線通信ネットワークにおける識別情報転送方法を示すフローチャートである。図１５を参照すると、プローブ要請フレームが受信されると、ステップ１５０１で、ピーツーピーデバイスは転送するイメージを選択する。例えば、ピーツーピーデバイスは、ユーザが設定したプロフィールイメージを、転送するイメージとして選択する。ステップ１５０２で、ピーツーピーデバイスは選択されたイメージのサイズが予め設定された第１しきい値（例えば、１０２４ｂｙｔｅｓ）を超過するか否かを判断する。選択されたイメージのサイズが第１しきい値を超過しない場合、ステップ１５０３で、ピーツーピーデバイスは選択されたイメージを含むプローブ応答フレームを転送する。
【００５９】
選択されたイメージのサイズがしきい値を超過する場合、ステップ１５０４で、ピーツーピーデバイスは選択されたイメージのフォーマットを変更する。例えば、ステップ１５０４で、ピーツーピーデバイスは選択されたイメージのフォーマットをＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）で８ビットカラー（ｂｉｔ  ｃｏｌｏｒ）を使用するＧＩＦ（Ｇｒａｐｈｉｃ  Ｉｎｔｅｒｃｈａｎｇｅ  Ｆｏｒｍａｔ）８９ａに変更する。
【００６０】
ステップ１５０５で、ピーツーピーデバイスはフォーマット変更されたイメージのサイズが第２しきい値を超過するか否かを判断する。フォーマット変更されたイメージのサイズが第２しきい値を超過しない場合、ピーツーピーデバイスはフォーマット変更されたイメージを含むプローブ応答フレームを転送する。ここで、第１しきい値と第２しきい値は、同一でもよく、異なっていてもよい。
【００６１】
フォーマット変更されたイメージのサイズがしきい値を超過する場合、ステップ１５０６で、ピーツーピーデバイスは選択されたイメージ又はフォーマット変更されたイメージを定形化する。本実施形態によるピーツーピーデバイスはイメージヘッダ情報を格納する。このようなイメージヘッダ情報は、フォーマット情報、イメージサイズ情報、及びイメージ背景（ｐａｌｅｔｔｅ）情報などを含む。例えば、フォーマット情報はＧＩＦ８９ａであり、イメージサイズ情報は３６ピクセル（ｐｉｘｅｌ）であり、イメージ背景情報は灰色である。このようにすると、ステップ１５０６で、ピーツーピーデバイスは、選択されたイメージのフォーマットをＧＩＦ８９ａに変更し、選択されたイメージのサイズを３６ピクセルにリサイジングし、選択されたイメージの背景を灰色に設定する。このように、イメージが全て定形化されると、イメージのペイロードが各々異なってもヘッダは全て同一であることから、ヘッダは敢えて転送する必要がない。ステップ１５０７で、ピーツーピーデバイスは、定形化されたイメージからヘッダを除去し、ペイロードのみをプローブ応答フレームに含めて転送する。ペイロードを受信したピーツーピーデバイスは、既に知っているヘッダと受信したペイロードとを結合してイメージを復元し、復元されたイメージを表示する。
【００６２】
以上、本発明によるピーツーピーデバイスは多様な形態の電子機器に適用できる。特に、本発明によるピーツーピーデバイスは携帯端末機に適用できる。このような携帯端末機は、携帯電話、スマートフォン、タブレットＰＣ、ネットブック（Ｎｅｔｂｏｏｋ）ＰＣ、ノートブック（Ｎｏｔｅｂｏｏｋ）ＰＣ、ＰＭＰ（Ｐｏｒｔａｂｌｅ  Ｍｕｌｔｉｍｅｄｉａ  Ｐｌａｙｅｒ）、電子書籍リーダー（ｅ−ｂｏｏｋ  ｒｅａｄｅｒ）、ＰＤＡ（Ｐｅｒｓｏｎａｌ  Ｄｉｇｉｔａｌ  Ａｓｓｉｓｔａｎｔ）、ディジタル放送プレーヤー、音楽再生機（例えば、ＭＰ３プレーヤー）、携帯ゲーム端末など、全ての携帯用情報通信機器及び携帯用マルチメディア機器、及びそれに対する応用機器であり得ることは自明である。
【００６３】
図１６は、本発明の一実施形態による携帯端末機の構成図である。図１６を参照すると、本発明による携帯端末機１６００は、タッチスクリーン１６１０、キー入力部１６２０、表示部１６３０、格納部１６４０、無線通信部１６５０、及び制御部１６６０を含んで構成される。
【００６４】
タッチスクリーン１６１０は、表示部１６３０の前面に取り付けられ、タッチスクリーン１６１０に入力されるユーザのタッチジェスチャーに応答してタッチイベントを発生させて制御部１６６０に伝達する。これによって、制御部１６６０はタッチスクリーン１６１０から入力されるタッチイベントからユーザのタッチジェスチャーを検出して上記各構成を制御する。
【００６５】
キー入力部１６２０は、数字又は文字情報の入力を受けて各種機能を設定するための多数の入力キー及びファンクションキーを含む。キー入力部１６２０は、ユーザ設定及び携帯端末機１６００の機能制御に関連するキー信号を生成して制御部１６６０に伝達する。制御部１６６０は、このようなキー信号に応答して上記各構成を制御する。
【００６６】
表示部１６３０は、制御部１６６０の制御下で、制御部１６６０から入力を受けた映像データをアナログ信号に変換して表示する。即ち、表示部１６３０は、携帯端末機の利用による多様な画面、例えばロック画面、ホーム画面、アプリケーション実行画面、メニュー画面、キーパッド画面、メッセージ作成画面、インターネット画面などを提供する。表示部１６３０は、液晶表示装置（Ｌｉｑｕｉｄ  Ｃｒｙｓｔａｌ  Ｄｉｓｐｌａｙ：ＬＣＤ）、ＯＬＥＤ（Ｏｒｇａｎｉｃ  Ｌｉｇｈｔ  Ｅｍｉｔｔｅｄ  Ｄｉｏｄｅ）、ＡＭＯＬＥＤ（Ａｃｔｉｖｅ  Ｍａｔｒｉｘ  Ｏｒｇａｎｉｃ  Ｌｉｇｈｔ  Ｅｍｉｔｔｅｄ  Ｄｉｏｄｅ）などの平板表示パネルの形態で形成される。
【００６７】
格納部１６４０は、携帯端末機のオペレーティングシステム（ＯＳ：Ｏｐｅｒａｔｉｎｇ  Ｓｙｓｔｅｍ）及び本実施形態で必要なアプリケーションを初めとして、多様なデータを格納する。格納部１６４０は、大別してデータ領域とプログラム領域とを含む。格納部１６４０のデータ領域は、携帯端末機１６００の使用によって携帯端末機１６００で発生するか、或いは外部からダウンロードしたデータ、即ちイメージ、文書、ビデオ、メッセージ、メール、ミュージック、効果音などを格納する。そして、データ領域は表示部１６３０が表示する上記画面を格納する。また、データ領域は、コピー及びペースト（ｃｏｐｙ  ＆  ｐａｓｔｅ）などのために、ユーザがメッセージ、写真、ウェブページ、文書などからコピーしたデータを臨時格納する。また、データ領域は携帯端末機の運営のための多様な設定値（例えば、画面の明るさ、タッチ発生時の振動の有無、画面の自動回転の可否等）を格納する。また、データ領域は私設ＩＰアドレスリスト１６４１、電話帳１６４２、及びイメージヘッダ情報１６４３を含む。格納部１６４０のプログラム領域は携帯端末機のブーティング及び上述した各構成の運用のためのオペレーティングシステム（ＯＳ：Ｏｐｅｒａｔｉｎｇ  Ｓｙｓｔｅｍ）と多様なアプリケーションを格納する。特に、プログラム領域は、デバイスディスカバリー、プロビジョンディスカバリー、及びネゴシエーションなどのようなワイファイダイレクトネットワークの運用及び制御に関連するプログラムを格納する。
【００６８】
無線通信部１６５０は、音声通話、画像通話、又はデータ通信を制御部１６６０の制御下で遂行する。このために、無線通信部１６５０は、送信する信号の周波数を上昇変換及び増幅する無線周波数送信部と、受信した信号の周波数を低雑音増幅及び下降変換する無線周波数受信部などを含む。また、無線通信部１６５０は、移動通信モジュール（例えば、第３世代（３−Ｇｅｎｅｒａｔｉｏｎ）移動通信モジュール、第３．５世代（３．５−Ｇｅｎｅｒａｔｉｏｎ）移動通信モジュール、又は第４世代（４−Ｇｅｎｅｒａｔｉｏｎ）移動通信モジュール等）、及びワイファイ（ｗｉ−Ｆｉ）モジュール１６５１を含むことができる。
【００６９】
ワイファイモジュール１６５１は、携帯端末機１６００のインターネットプロトコル（ＩＰ：Ｉｎｔｅｒｎｅｔ  Ｐｒｏｔｏｃｏｌ）基盤の無線通信をサポートする。本実施形態において、ワイファイモジュール１６５１は、制御部１６６０の制御下で、ＡＰの役割を遂行するか、又はステーションの役割を遂行する。言い換えると、ワイファイモジュール１６５１は、制御部１６６０の制御下で、グループオーナー又はグループクライアントとして作動する。
【００７０】
ワイファイモジュール１６５１は、制御部１６６０の制御下で、デバイスディスカバリー（Ｄｅｖｉｃｅ  Ｄｉｓｃｏｖｅｒｙ）、プロビジョンディスカバリー（Ｐｒｏｖｉｓｉｏｎ  Ｄｉｓｃｏｖｅｒｙ）、及びネゴシエーション（Ｎｅｇｏｔｉａｔｉｏｎ）を遂行する。プローブ要請フレーム（Ｐｒｏｂｅ  Ｒｅｑｕｅｓｔ  Ｆｒａｍｅ）が受信されると、ワイファイモジュール１６５１は、制御部１６６０の制御下で、電話番号及びユーザ識別情報のうちの少なくとも１つを含むプローブ応答フレーム（Ｐｒｏｂｅ  Ｒｅｓｐｏｎｓｅ  Ｆｒａｍｅ）を転送する。
【００７１】
ワイファイモジュール１６５１は、制御部１６６０の制御下で、プロビジョンディスカバリー要請フレーム（Ｐｒｏｖｉｓｉｏｎ  Ｄｉｓｃｏｖｅｒｙ  Ｒｅｑｕｅｓｔ  Ｆｒａｍｅ）、プロビジョンディスカバリー応答フレーム（Ｐｒｏｖｉｓｉｏｎ  Ｄｉｓｃｏｖｅｒｙ  Ｒｅｓｐｏｎｓｅ  Ｆｒａｍｅ）、グループオーナーネゴシエーション要請フレーム（ＧＯ  Ｎｅｇｏｔｉａｔｉｏｎ  Ｒｅｑｕｅｓｔ  Ｆｒａｍｅ）、グループオーナーネゴシエーション応答フレーム（ＧＯ  Ｎｅｇｏｔｉａｔｉｏｎ  Ｒｅｓｐｏｎｓｅ  Ｆｒａｍｅ）、又はグループオーナーネゴシエーション確認フレーム（ＧＯ  Ｎｅｇｏｔｉａｔｉｏｎ  Ｃｏｎｆｉｇｕｒａｔｉｏｎ  Ｆｒａｍｅ）にＩＰアドレスを含めて転送する。また、ワイファイモジュール１６５１は、プロビジョンディスカバリー要請フレーム、プロビジョンディスカバリー応答フレーム、グループオーナーネゴシエーション要請フレーム、グループオーナーネゴシエーション応答フレーム、又はグループオーナーネゴシエーション確認フレームに含まれるＩＰアドレスを受信し、受信したＩＰアドレスを制御部１６６０に伝達する。
【００７２】
制御部１６６０は、携帯端末機１６００の全般的な動作及び携帯端末機１６００の内部構成間の信号の流れを制御し、データを処理する機能を遂行する。そして、制御部１６６０はバッテリーから内部構成への電源供給を制御する。また、制御部１６６０はプログラム領域に格納された各種アプリケーションを実行する。
【００７３】
制御部１６６０は、タッチスクリーン１６１０又はキー入力部１６２０からイベントを受信し、受信したイベントからディスカバリーの命令を検出する。制御部１６６０は、デバイスディスカバリーの命令に応答して、デバイスディスカバリーを遂行するようにワイファイモジュール１６５１を制御する。制御部１６６０は、プロビジョンディスカバリーの命令に応答して、プロビジョンディスカバリーを遂行するようにワイファイモジュール１６５１を制御する。
【００７４】
制御部１６６０は、私設ＩＰアドレスリスト１６４１から転送する私設ＩＰアドレスを選択し、選択された私設ＩＰアドレスを転送するようにワイファイモジュール１６５１を制御する。制御部１６６０は、ワイファイモジュール１６５１を通じて外部機器、即ちピーツーピーデバイスから私設ＩＰアドレスを受信する。ネゴシエーションの結果、携帯端末機１６００がグループクライアントに決定されると、制御部１６６０は、受信した私設ＩＰアドレスを携帯端末機１６００のＩＰアドレスに割り当てて、ワイファイモジュール１６５１をグループクライアントとして作動させる。ネゴシエーションの結果、携帯端末機１６００がグループオーナーに決定されると、ワイファイモジュール１６５１をグループオーナーとして作動させる。
【００７５】
制御部１６６０は、電話帳１６４２を表示するように表示部１６３０を制御する。そして、制御部１６６０は電話帳１６４２からいずれか１つの連絡先の選択を検出する。制御部１６６０は、選択された連絡先に該当するピーツーピーデバイスにピーツーピー連結の要請（例えば、連絡先に対するタッチ）を検出する。ピーツーピー連結の要請が検出されると、制御部１６６０は、ワイファイモジュール１６５１を制御して、選択された連絡先に該当するピーツーピーデバイスとのピーツーピー連結を遂行する。
【００７６】
制御部１６６０は、電話番号及びユーザ識別情報要請メッセージを含むプローブ要請フレームを転送するようにワイファイモジュール１６５１を制御する。電話番号を含むプローブ要請フレームが受信されると、制御部１６６０は、受信した電話番号に関連する連絡先情報を電話帳１６４２から抽出し、抽出された連絡先情報を表示するように表示部１６３０を制御する。
【００７７】
イメージペイロードを含むプローブ応答フレームが受信されると、制御部１６６０は、イメージヘッダ情報１６４３を参照してイメージを復元し、復元されたイメージを表示するように表示部１６３０を制御する。制御部１６６０は、イメージヘッダ情報１６４３を参照してイメージを定形化し、定形化されたイメージからヘッダを除去する。そして、制御部１６６０は、ヘッダが除去された残り、即ちペイロードをプローブ応答フレームに含めて、このようなプローブ応答フレームを転送するようにワイファイモジュール１６５１を制御する。
【００７８】
一方、ディジタル機器のコンバーゼンス（ｃｏｎｖｅｒｇｅｎｃｅ）の趨勢によって変形が非常に多様であるため、全て列挙することはできないが、本発明による携帯端末機１６００は、ディジタル放送モジュール（例えば、ＤＭＢモジュール）、ＧＰＳモジュール、及びカメラモジュールなどのように、上記で言及されない構成を更に含むことができる。また、本発明の携帯端末機１６００は、その提供形態に応じて、上記各構成から特定の構成が除外されるか、他の構成に代えることもできることは勿論である。
【００７９】
上述したような本発明によるＩＰアドレス割当方法は、多様なコンピュータを通じて遂行されるプログラム命令で具現され、コンピュータにより読み取り可能な記録媒体に記録できる。ここで、記録媒体は、プログラム命令、データファイル、データ構造などを含む。また、プログラム命令は、本発明のために特別に設計されて構成されたもの、又はコンピュータソフトウェア当業者に公知されて使用可能なものである。また、記録媒体には、ハードディスク、フロッピー（登録商標）ディスク、及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）、ＲＯＭ、ＲＡＭ、フラッシュメモリなどのハードウェア装置が含まれる。また、プログラム命令には、コンパイラーにより作られるもののような機械語コードだけでなく、インタープリターなどを使用してコンピュータにより実行できる高級言語コードが含まれる。ハードウェア装置は、本発明を遂行するために１つ以上のソフトウェアモジュールとして作動するように構成できる。
【００８０】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００８１】
４１０、５１０、６１０、７１０    第１ピーツーピーデバイス
４２０、５２０、６２０、７２０    第２ピーツーピーデバイス
９１０    デバイスネーム
１１１０、１４１０    電話番号
１２１０、１４４０    イメージ
１４２０、１４３０    受信者の名前
１６００    携帯端末機
１６１０    タッチスクリーン
１６２０    キー入力部
１６３０    表示部
１６４０    格納部
１６４１    私設ＩＰアドレスリスト
１６４２    電話帳
１６４３    イメージヘッダ情報
１６５０    無線通信部
１６５１    ワイファイモジュール
１６６０    制御部
【図１】
2013176045.tif 000003
【図２】
2013176045.tif 000004
【図３】
2013176045.tif 000005
【図４】
2013176045.tif 000006
【図５】
2013176045.tif 000007
【図６】
2013176045.tif 000008
【図７】
2013176045.tif 000009
【図８】
2013176045.tif 000010
【図９】
2013176045.tif 000011
【図１０】
2013176045.tif 000012
【図１１】
2013176045.tif 000013
【図１２】
2013176045.tif 000014
【図１３】
2013176045.tif 000015
【図１４】
2013176045.tif 000016
【図１５】
2013176045.tif 000017
【図１６】
2013176045.tif 000018